(57)【特許請求の範囲】
【請求項１】
少なくとも一つの洗濯する衣服や洗濯水を入れる洗濯槽を含み、前記洗濯槽に洗濯媒質層を設けた洗濯機であって、
前記洗濯媒質層は、洗濯中に、前記衣服及び／又は前記洗濯水の中の汚れを吸着するために用いられ、
前記洗濯媒質層は、表面が壁で囲まれ内部に重合体固体粒子を収納する二重層であって、前記洗濯槽の壁の内表面及び／又は外表面に固定され、
前記二重層は多数の互いに仕切られた室で構成され、前記重合体固体粒子が前記室のそれぞれに収納され、
前記室が連続的な波紋形を呈して前記洗濯槽の壁に固定されている、又は前記室がお互いに不連続的に前記洗濯槽の壁に分散して配置されている、ことを特徴とする洗濯機。
【請求項２】
前記二重層の壁に前記洗濯水だけを通すことに供える貫通孔を開けていることを特徴とする請求項１に記載された洗濯機。
【請求項３】
前記貫通孔の直径が０．５−１．５ｍｍであることを特徴とする請求項２に記載された洗濯機。
【請求項４】
前記重合体固体粒子が表面多孔性構造であることを特徴とする請求項１に記載された洗濯機。
【請求項５】
前記二重層の壁の表面がつるつるしているか、複数の連続的又は不連続的な突起を持っているか、又は多孔性構造であることを特徴とする請求項１に記載された洗濯機。
【請求項６】
前記洗濯媒質層が重合体で形成されていることを特徴とする請求項１〜５のいずれか一項に記載された洗濯機。
【請求項７】
前記重合体が親水性成分、親油性成分、および表面活性剤の成分を持っていることを特徴とする請求項６に記載された洗濯機。
【請求項８】
前記重合体固体粒子の表面の孔は互いに独立しており、前記重合体固体粒子の表面の孔の直径が０．０１−０．１ｍｍであることを特徴とする請求項４に記載された洗濯機。
【請求項９】
前記二重層の壁の表面が多孔性構造であって、前記二重層の壁の表面の孔は互いに独立しており、前記二重層の壁の表面の孔の直径が０．０１−０．１ｍｍであることを特徴とする請求項５に記載された洗濯機。
【請求項１０】
請求項１に記載された洗濯機を用い、洗濯中に、洗濯媒質層を利用して洗濯する衣服及び／又は洗濯水の中の汚れを吸着して、前記衣服の洗濯を完成することを特徴とする洗濯方法。
【請求項１１】
前記衣服の洗濯前に、洗濯槽に前記洗濯水を注ぎ込む過程を含んで、前記洗濯水で前記衣服を浸すことを特徴とする請求項１０に記載された洗濯方法。
【請求項１２】
前記洗濯水を注ぎ込んで前記衣服を浸す時に、前記衣服を静かに置いて一定の時間浸すことを特徴とする請求項１１に記載された洗濯方法。
【請求項１３】
前記衣服の洗濯後に、前記洗濯媒質層及び／又は前記衣服を脱水する過程、及び／又は、前記洗濯槽に熱風を提供して、前記衣服及び／又は前記洗濯媒質層を乾燥する過程を含むことを特徴とする請求項１０に記載された洗濯方法。
【請求項１４】
前記洗濯媒質層が、前記衣服及び／又は前記洗濯水の中の汚れを吸着する重合体で形成されていることを特徴とする請求項１０〜１３のいずれか一項に記載された洗濯方法。
【発明の詳細な説明】
【技術分野】
【０００１】
本発明は洗濯機に関し、特に重合体吸着材料を使って洗濯に参与する洗濯機および洗濯方法に関するものであるが、洗濯機の技術分野に属す。
【背景技術】
【０００２】
伝統的な洗濯機の洗濯方法は水を洗濯媒質にして、洗濯機内に水と洗剤を入れて洗濯する。洗濯後に脱水機能を利用して洗濯機内の汚水を排出して、それから再びきれいな水を入れて、洗濯やすすぎの過程を引き続き行って、洗濯が終わった後に更に水を排出するのである。このような方法ではただ水を排出して、更にきれいな洗濯水を入れるので、水の消耗量がとても大きい。同時、洗濯液に環境に有害な化学物質を比較的多く含んで、その上毎回の洗濯過程に時間がかかり、電気消費量が比較的多い。
【０００３】
上記の伝統的な洗濯方法の不足を解決するために、当面の技術では、一部の洗濯機は有機溶剤を媒質にして洗濯するが、ドライクリーニング機などのようである。有機溶剤は洗濯機の中でリサイクルして、一回の洗濯過程が完成した後に、あかを含む有機溶剤を容器に収集して、濾過蒸留の方法で有機溶剤を処理して、それから再び洗濯槽に送り込んで、洗濯を引き続き行う。有機溶剤はそれ自身に劇毒があって、その上蒸留方法による媒質の回収は安全係数が比較的低いので、家庭での使用に適していない。
【０００４】
現在の技術では空気による洗濯方法があるが、例えばＣＯ２による洗濯である。このような洗濯方法の場合、媒質の気態と液態での変化を実現することを必要として、液態で洗濯して、気態で回収する。このような方法は構造の密閉性に対する要求が比較的高く、同時に、気体に対する液化がとても高い圧力を必要とし、高圧装置を据え付けることを必要とするので、安全係数が比較的低く、しかも技術が複雑である。
【０００５】
上記の何種類の洗濯方法の欠点に対して、また特殊に製作した固体粒子を洗濯媒質とする洗濯方法が出て、固体粒子と衣服の間の摩擦を通して、衣服のあかを吸着・吸収して、それによって洗濯機能を実現する。当該洗濯方法は８０％以上に節水することができ、また、当該固体粒子の洗濯媒質は回収して二次利用することができ、使用寿命が長く、交換を必要とせず、安全で環境にやさしい。当該洗濯方法を採用する洗濯機は、普通に洗濯機に粒子貯蔵空間を設けて、そして外槽に投入孔とフィード孔を設けて、洗濯前に、粒子を投入孔から外槽に投入して、洗濯の終了後に、粒子を完全に粒子貯蔵空間に回収するのである。この洗濯方法は、一定の不足がある。粒子は衣服と摩擦して洗う時に、衣服に一定の程度の磨損をもたらすが、また、洗濯前に内槽に洗濯用粒子を投入して、洗濯後に、まだ粒子を回収しなければならない。粒子に対して脱水を行う場合、再度に粒子の投入と回収をする必要があるので、洗濯過程が比較的複雑で、洗濯機の内部構造をそれに応じて比較的大きく改善しなければならなくて、更に大幅に材料と製造コストを増えなければならない。
【発明の概要】
【課題を解決するための手段】
【０００６】
本発明の主な目的は上記の問題と不足を解決するもので、洗濯粒子の投入と回収を行う必要がなくて、洗濯プロセスを簡略化にして、そして洗濯効果を満たす洗濯機を提供する。
【０００７】
本発明の別の主な目的は、洗濯プロセスを簡略化にして、そして洗濯効果を満たすことができる洗濯方法を提供する。
【０００８】
上記の目的を実現するために、本発明の技術方案は、
少なくとも一つの洗濯や水を入れる洗濯槽を含んで、少なくとも一つの洗濯槽に洗濯媒質層を設けている洗濯機である。
【０００９】
更に、上記の媒質層が上記の洗濯槽の壁の内表面及び／又は外表面に塗布されたり据え付けられたりしている。
【００１０】
更に、上記の媒質層につるつるしている表面を持って、あるいは上記の媒質層の表面に若干の連続的や不連続的な突起を持って、あるいは上記の媒質層が表面多孔性構造である。
【００１１】
更に、上記の媒質層が上記の洗濯槽の壁の内表面及び／又は外表面に固定されてその中間に重合体固体粒子を収納する二重層である。
【００１２】
更に、上記の二重層に洗濯水だけを通す通孔を開けている。
【００１３】
更に、上記の通孔の直径が０．５−１．５ｍｍである。
【００１４】
更に、上記の粒子が表面多孔性構造である。
【００１５】
更に、上記の二重層につるつるしている表面を持って、あるいは上記の二重層の表面に若干の連続的や不連続的な突起を持って、あるいは上記の二重層が表面多孔性構造である。
【００１６】
更に、上記の二重層の中間空間が完全に貫通している。
【００１７】
更に、上記の二重層が多数の互いに仕切っている室で、上記の固体粒子が上記の各室に収納されている。
【００１８】
更に、上記の多数の室が連続した波紋形を呈して上記の洗濯槽の壁に固定されている。
【００１９】
更に、上記の多数の室が互いに上記の洗濯槽の壁に不連続的に分散して配置されている。
【００２０】
更に、上記の媒質層が上記の洗濯槽のリフト部に塗布されたり、据え付けられたり、設置されたりしている。
【００２１】
更に、上記の洗濯媒質層が重合体吸着層である。
【００２２】
更に、上記の重合体が親水性、親油性の成分を持って、上記の重合体が表面活性剤の成分を持っている。
【００２３】
更に、上記の媒質層、上記の粒子と上記の二重層の壁表面の孔がお互いに分かれている構造であり、上記の孔の直径が０．０１−０．１ｍｍである。
【００２４】
洗濯槽に洗濯媒質層を設けて、洗濯中に、上記の洗濯媒質層を利用して衣服及び／又は水の中の汚れを処理して、衣服の洗濯を完成する洗濯方法。
【００２５】
更に、洗濯待ちの衣服の洗濯前に、上記の洗濯槽に洗濯水を注ぎ込む過程を含んで、上記の洗濯水が上記の洗濯待ちの衣類を浸す。
【００２６】
更に、洗濯水を注ぎ込んで衣服を浸す時に、上記の洗濯待ちの衣類を静かに置いて一定時間浸す。
【００２７】
更に、上記の衣服を洗濯した後に、媒質層及び／又は衣服の脱水過程を含む。及び／又は上記の洗濯槽に熱風を送って、上記の衣服及び／又は媒質層を乾燥する過程を含む。
【００２８】
更に、上記の洗濯媒質層が重合体吸着層で、重合体吸着層が衣服及び／又は洗濯水の汚れを吸着する。
【００２９】
上記の内容をまとめると、本発明に述べられた洗濯機および洗濯方法は、構造が簡単で、洗濯槽に設置された洗濯媒質層で衣服と洗濯水の汚れを処分して、洗濯の目的を達成して、粒子の投入、回収と自己清潔のステップと装置が不要であり、洗濯プロセスを簡略化にしただけではなく、普通の洗濯機と同じく、またこのような洗濯機の材料コストと製造コストを大幅に下げることができる。また、洗濯時に、衣服の磨損程度が大幅に下がる。
【図面の簡単な説明】
【００３０】
【図１】図１は本発明の実施例のある構造の説明図である。
【図２】図２は本発明の内槽の構造の説明図である。
【図３】図３は本発明の実施例三の構造の説明図である。
【図４】図４は本発明の実施例四の構造の説明図である。
【図５】図５は本発明の実施例五の構造の説明図である。
【図６】図６は本発明の実施例六の構造の説明図である。
【発明を実施するための形態】
【００３１】
図１〜図６のように、外槽１、内槽２、媒質層３、第一開孔４、衣服５、突起６、リフト部７、粒子８、二重層壁９、室１０、仕切板１１。
【実施例】
【００３２】
次に添付図面と具体的な実施例を結び付けて本発明を詳しく説明する。
【００３３】
図１と図２のように、現在常用のインペラ洗濯機でもドラム式洗濯機でも、外槽１と内槽２を設けたケース（未図示）を含んで、本発明に述べられた洗濯槽は洗濯用の内槽２に用いられることができるが、水を入れる外槽１にも用いることができる洗濯機。そのうち、外槽１が密封式構造で、回転せずに固定されたもので、内槽２が外槽１の内側に設けられて、内槽２の壁に若干の洗濯水を通すことに供える第一開孔４を開けて、第一開孔４の形が円形、長方形、多角形などで、内槽２が駆動装置に回転可能に駆動されている。外槽１の上部に取水口（未図示）を設けて、洗濯とすすぎ過程の取水に用いられて、外槽１の下部に排水口（未図示）を設けて、脱水後の排水に用いられる。洗濯時に、衣服５を内槽２に入れる。
【００３４】
内槽２の壁に一層の洗濯媒質層３を設けて、洗濯媒質が陶磁器、重合体材料などを採用することができるが、本実施例には重合体を洗濯媒質にすることが好ましい。重合体はＰＰ、ＰＥ、ＰＳ、ＰＶＣ、またはＥＶＡなどで、あるいは上記の多種類の材料の混合物を選ぶことができる。材料に親水性や親油性の成分を含んで、また表面活性剤の成分があって、あかに対してより強い吸着能力を有している。重合体媒質層３は内槽２の壁の内側に設けられることができて、槽壁の外側にも設けられることができるが、また槽壁の内側と外側とも媒質槽を設けることができて、媒質層３の吸着面積を増えて、媒質層３の吸着能力を高めるようにする。また、媒質層３の吸着面積を増えて、媒質層３の吸着能力を高めるために、内壁２に媒質層３を設けるだけではなく、外層１の壁にも同様に媒質層３を設けることができる。コスト、製造プロセスと機械全部の重量などの多方面から総合的に考慮すると、内槽２の壁の内側だけに一層の媒質層３を設けることが好ましい。媒質層３をその他の位置に設けると、次の通り同じな構造を採用することができる。
【００３５】
実施例一：
本実施例では、媒質層３は塗布技術で内槽２の壁の内側に塗布することができるが、媒質層３がねじなどの締付部品で内槽２の壁に固定されることができる。内槽２と同じで、媒質層３に若干の洗濯水を通すことに供える通孔（未図示）を開けて、通孔の形も図２に示された内槽２の第一開孔４と同じて、円形、長方形、多角形などでもよい。通孔は洗濯時に槽内に取水して、脱水の時に、槽内の洗濯水を外槽１に出して、更に外槽１の下の排水口から排出する。媒質層３が外槽１の壁に設けられた場合、媒質層３に通水の通孔を設けないのである。
【００３６】
媒質層３は全体の内槽２の壁に塗布したり据え付けたりすることができて、また内槽２の一部の壁に塗布したり据え付けたりすることができる。前者の構造では吸着効果が更によいが、内槽２の回転の平衡に有利である。媒質層３が洗濯中に、絶えず洗濯水との接触によって、最大限度で洗濯水の衣服５からの汚れを吸着して、洗濯中に、洗濯水が一定の清潔度を維持して、また衣服５が洗濯時にも絶えず媒質層３と直接に接触して、媒質層３が直接に衣服５の汚れを吸着するので、少量の水で十分で、節水の目的を達成することができる。
【００３７】
媒質層３の構造はつるつるしている表面を呈することができる。媒質層３と洗濯水の接触面積を増えて、汚れの吸着能力を強めるために、図１のように、媒質層３の表面に若干の突起６を持って、若干の突起６同士が連続的に配置されることができるが、不連続的に分散に配置されることができる。
【００３８】
媒質層３と洗濯水の接触面積を増えるために、媒質層３は更に重合体の表面多孔性構造を採用することができて、表面の若干の孔同士がつながらなくて互いに分けて、孔内の水を排出して、媒質層３の再生能力を高めるのに便宜を図る。孔の直径が０．０１−０．１ｍｍの間にあることが好ましい。
【００３９】
ドラム式洗濯機では、内槽２に少なくとも一つの内へ突出するリフト部７を設けて、洗濯中に、衣服５がリフト部７の作用で、内槽２の中で絶えずリフトして、それから更に落として、洗濯効果を達成したまで繰り返す。リフト部７の数量が１−３を選ぶことができるが、そのうちに３つのリフト部７を選択して、内槽２の周りに沿って均一的に分布することが好ましい。媒質層３はリフト部７の配置にずらすことができるが、全体の内槽２の内壁で多く敷くことができる。リフト部７が媒質層３に固定されている。
【００４０】
次に図１を結び付けて上記の洗濯機を利用する洗濯方法を詳しく説明する。
【００４１】
ドラム式洗濯機を例にすると、当該洗濯方法は次の通りのステップを含んでいる。
【００４２】
ステップ一：普通のドラム式洗濯機と同じように、洗濯待ちの衣類５を洗濯機の内槽２に入れて、同時に外槽１の上方の取水口を開けて、外槽１に水を注いで、洗濯水と洗剤の混合後に外槽２に入って、水が内槽２の第一開孔４および媒質層３の通孔を通した後に、洗濯待ちの衣類５と十分に混合する。この過程はただ適量の水と洗剤を入れて、水が衣服５を浸すことを保証するだけで十分である。
【００４３】
洗濯水を注ぎ込んで洗濯待ちの衣類を浸す時に、洗濯待ちの衣類５を静かに置いて、一定の時間に浸して、水と衣服５を十分に浸潤して、更に洗濯効果を高める。
【００４４】
ステップ二：内槽２の回転を駆動して、媒質層３もそれに伴って回転して、衣服５がリフト部７の動かしで槽内でリフトしたり落としたりして、繰り返して、洗濯中に、洗濯水が衣服５の汚れを洗い流して、汚れが洗濯水とともに絶えず媒質層３を洗い流して、媒質層３が洗濯水と絶えない接触する過程で、洗濯水の中の汚れを吸着して、その上衣服５が洗濯時にも絶えず媒質層３と直接に接触して、媒質層３が直接に衣服５の汚れを吸着して、それによって衣服５を洗濯して汚れを落とす目的を達成する。
【００４５】
インペラ洗濯機の場合、インペラの回転を駆動して、インペラが洗濯時間に時計の回り方向と時計の逆回り方向に沿って交替で回転して、槽内で回転する水の流れを形成して、洗濯水が衣服５の汚れを洗い落とし、汚れが洗濯水とともに絶えず媒質層３を洗い流して、媒質層３が洗濯水と絶えず接触する過程で、洗濯水の中の汚れを吸着して、また衣服５が洗濯時にも絶えず媒質層３と直接に接触して、媒質層３が直接に衣服５の汚れを吸着して、それによって衣服５を洗濯して汚れを落とす目的を達成する。
【００４６】
ステップ三：内槽２を高速に回転するように駆動して、この時に媒質層３がそれに伴って高速に回転して、衣服５と媒質層３に同時に脱水を行って、水が外槽１の底部の排水孔から排出される。媒質層３の脱水過程も媒質層３の自己清潔の過程で、一定の程度で媒質層の再生能力を高めて、媒質層３の使用寿命を延長した。
【００４７】
ステップ四：すすぎステップで、再び槽内に適量のきれいな水を入れて、上記の過程に従って衣服５をすすいで、すすいだ後に再度に脱水を行って、最後に衣服５の全ての洗濯過程を完成する。
【００４８】
衣服５と媒質層３の脱水後に、熱ポンプ装置や加熱管などの装置で、更に内槽２に熱風を出して、衣服５と媒質層３の乾燥に用いて、このように更に媒質層３の使用寿命も延長することができて、同時に槽内の乾燥を維持して、槽内に湿気によるかびなどの繁殖を減らすことに有利である。
【００４９】
実施例二：
旧式の二槽式洗濯機では、洗濯部の洗濯槽が単一の槽の構造で、インペラが洗濯時間内に時計の回り方向と時計の逆回り方向に沿って交替で回転して、槽内で回転する水の流れを形成して、洗濯水が衣服５の汚れを洗い落とす。このような洗濯機では、洗濯槽の壁の内側や外側で、内外の両側に一層の重合体洗濯媒質層３を塗布することができて、媒質層３に通水に用いられる通孔を設けなくて、媒質層３の構造形式が完全に実施例一と同じなので、ここで別途に詳しい説明をしない。
【００５０】
このような洗濯機では、衣服５の脱水が別の脱水槽で完成するので、媒質層３は脱水の過程をせずに、槽内に熱風による乾燥方式を採用することができる。
【００５１】
実施例三：
図３のように、実施例一との違いとして、内槽２の壁の内側に設けられた媒質層３は、内槽２の壁に固定されて中間に重合体固体粒子８を収納している重合体二重層構造で、二重層の壁９に洗濯水を通すことに供える通孔（未図示）を開けて、媒質層３がねじなどの締付部品で内槽２の壁に固定されて、媒質層３と内槽２が一緒に回転することを保証する。
【００５２】
粒子８が内槽２と媒質層３から漏れることを避けるために、内槽２にある第一開孔４と媒質層３の通孔の直径が粒子８の最小直径より小さい。粒子８の直径が普通に２−４ｍｍの間にあるので、第一開孔４と通孔の直径は２ｍｍより小さくて、第一開孔４と通孔の直径が１−１．５ｍｍの間にあることが好ましい。このようにすると、洗濯水が順調に流れ込んだり流れ出したりすることができるとともに、また粒子８が漏れることを避けることができる。
【００５３】
媒質層３の吸着能力を増えるために、吸着能力を有する重合体固体粒子８を採用する以外、二重層の壁９にも重合体材料を採用して、実施例一と同じで、二重層の壁９も吸着能力も持っている。二重層９の構造はつるつるしている表面を呈することができる。二重層９と洗濯水の接触面積を増えて、汚れの吸着能力を強めるために、実施例一と同じで、二重層壁９の表面に若干の突起６を持って、若干の突起６同士が連続的に配置されることができるが、不連続的に分散に配置されることができる。二重層壁９と洗濯水の接触面積を増えるために、二重層壁９は更に重合体の表面多孔性構造を採用することができて、表面の若干の孔同士がつながらなくて互いに分けて、孔内の水を排出して、二重層壁９の再生能力を高めるのに便宜を図る。孔の直径が０．０１−０．１ｍｍの間にあることが好ましい。
【００５４】
同じく、粒子８の吸着能力を増えるために、粒子８は表面の多孔性構造を採用して、表面の若干の孔同士はつながらなくて互いに分けて、孔内の水を排出して、媒質層３の再生能力を高めるのに便宜を図る。孔の直径が０．０１−０．１ｍｍの間にあることが好ましい。
【００５５】
媒質層３の二重層が全体の内槽２の壁に多く敷いて、二重層の中間空間が完全に貫通して、二重層壁９が第二内槽を形成したのに相当する。洗濯中に、洗濯水が絶えず媒質層３の二重層に出入りして、二重層壁９と接触する同時に、二重層内の粒子８と接触して、二重層壁９と粒子８が共に洗濯水の衣服５からの汚れを吸着して、衣服５が洗濯時に二重層壁９と絶えず直接に接触して、二重層壁９が直接に衣服５の汚れを吸着して、洗濯目的を達成する。
【００５６】
ドラム式洗濯機の場合、内槽２に設けられた少なくとも一つの内へ突出するリフト部７が二重層壁９に固定されている。
【００５７】
次に図３を結び付けて上記の洗濯機を利用する洗濯方法を詳しく説明する。
【００５８】
ドラム式洗濯機を例にすると、当該洗濯方法は次の通りのステップを含んでいる。
【００５９】
ステップ一：普通のドラム式洗濯機と同じに、洗濯待ちの衣類５を洗濯機の内槽２に入れて、同時に外槽１の上方の取水口を開けて、外槽１に水を注いで、洗濯水と洗剤の混合後に外槽２に入って、水が内槽２の第一開孔４および媒質層３の二重層壁９の通孔を通した後に、洗濯待ちの衣類５と十分に混合する。この過程はただ適量の水と洗剤を入れて、水が衣服５を浸すことを保証するだけで十分である。
【００６０】
洗濯水を注ぎ込んで洗濯待ちの衣類を浸す時に、洗濯待ちの衣類５を静かに置いて、一定の時間に浸して、水と衣服５を十分に浸潤して、更に洗濯効果を高める。
【００６１】
ステップ二：内槽２を駆動して、媒質層３もそれに伴って回転して、衣服５が槽内で上がったり下がったりして、繰り返して、洗濯中に、洗濯水が衣服５の汚れを洗い落として、汚れが洗濯水に伴って絶えず二重層壁９を洗い流して、同時に汚れも洗濯水に伴って二重層の内部に出入りして、二重層内の粒子８と接触して、二重層壁９と粒子８が洗濯水と絶えず接触する過程で、洗濯水の中の汚れを吸着する。衣服５が洗濯時に二重層壁９と絶えず直接に接触して、二重層壁９が直接に衣服５の汚れを吸着して、それによって衣服５を洗濯して汚れを落とす目的を達成する。
【００６２】
インペラ洗濯機の場合、インペラの回転を駆動して、インペラが洗濯時間に時計の回り方向と時計の逆回り方向に沿って交替で回転して、槽内で回転する水の流れを形成して、洗濯水が衣服５の汚れを洗い落とし、汚れが洗濯水とともに絶えず二重層９を洗い流して、汚れが洗濯水に伴って二重層の内部に出入りして、二重層内の粒子８に接触して、二重層９と粒子８が洗濯水と絶えず接触する過程で、洗濯水の中の汚れを吸着して、また衣服５が洗濯時にも絶えず二重層９と直接に接触して、二重層９が直接に衣服５の汚れを吸着して、それによって衣服５を洗濯して汚れを落とす目的を達成する。
【００６３】
ステップ三：内槽２を高速に回転するように駆動して、この時に媒質層３がそれに伴って高速に回転して、衣服５と二重層９及び粒子８に同時に脱水を行って、水が外槽１の底部の排水孔から排出される。媒質層３の脱水過程も媒質層３の自己清潔の過程で、一定の程度で媒質層３の再生能力を高めて、媒質層３の使用寿命を延長した。
【００６４】
ステップ四：すすぎステップで、再び槽内に適量のきれいな水を入れて、上記の過程に従って衣服５をすすいで、すすいだ後に再度に脱水を行って、最後に衣服５の全ての洗濯過程を完成する。
【００６５】
衣服５と媒質層３の脱水後に、熱ポンプ装置や加熱管などの装置で、内槽２に熱風を出して、衣服５と媒質層３の乾燥に用いて、このように更に媒質層３の使用寿命も延長することができて、同時に槽内の乾燥を維持して、槽内に湿気によるかびなどの繁殖を減らすことに有利である。
【００６６】
本実施例に述べられた媒質層３の構造は同じく単一槽の洗濯機に適用する。
【００６７】
実施例四：
図４のように、実施例三との違いとして、二重層内の粒子８の二重層での分布が不均一で、吸着効果に影響を与えることを避けるために、媒質層３の二重層内に多数の互いに仕切った室１０を設けて、各室１０の間に仕切板１１で仕切って、粒子８を吸着して各室１０に収納するのである。
【００６８】
本実施例に述べられた媒質層３の構造は同じく単一槽の洗濯機に適用する。
【００６９】
実施例五：
図５のように、実施例３と違いとして、媒質層３の二重層が多数の互いに仕切った室１０で、粒子８が各室１０に収納されているのである。多数の室１０同士が互いに仕切られて、多数の室１０は不連続的に内槽２の壁に分散に配置しているので、室１０はリフト部７の設置を避けて、リフト部７が直接に内槽２の壁に固定されることができる。
【００７０】
ドラム式洗濯機でもインペラ洗濯機でも、多数の室１０は内槽２の軸方向に沿って全体の長さで設置されることができるが、内槽２の径方向に沿って環状で設置されることができる。
【００７１】
ドラム式洗濯機の場合、室１０が内槽２の軸方向に沿って全体の長さで不連続に設置された場合、リフト部７を設けず、内槽２の内側に突出した媒質層３をリフト部として、洗濯時に衣服８をリフトする作用を果たすことができる。
【００７２】
本実施例に述べられた媒質層３の構造は同じく単一槽の洗濯機に適用する。
【００７３】
実施例六：
図６のように、実施例五と違いとして、多数の室１０は連続的な波紋形を呈して内槽２の壁に固定されているが、このように更に媒質層３と水の接触面積を増えて、更に媒質層３の吸着能力を高めることができるのである。
【００７４】
ドラム式洗濯機の場合、室１０が内槽２の軸方向に沿って全体の長さで不連続に設置された場合、リフト部７を設けせず、内槽２の内側に突出した吸着層３をリフト部として、洗濯時に衣服８をリフトする作用を果たすことができる。
【００７５】
本実施例に述べられた媒質層３の構造は同じく単一槽の洗濯機に適用する。
【００７６】
実施例七：
実施例一との違いとして、ドラム式洗濯機では、媒質層３は塗布技術で内槽２のリフト部７だけに塗布することができるが、媒質層３はねじなどの締付部品で内槽２のリフト部７に固定して据え付けることができるのである。この構造では、媒質層３に水を通す通孔を開ける必要がない。
【００７７】
上記の各実施例に述べられた媒質層３の構造は、同じく多数槽の洗濯機にも適用するが、その中のひとつの槽に媒質層３を設けて、二本の槽に設置することができて、また全ての洗濯槽に媒質槽３を設けることができる。
【００７８】
上記の通りに、添付図に提供された方案の内容を結び付けて、類似の技術方案を出すことができる。本発明の技術方案に逸脱しない内容であれば、本発明の技術本質によって上記の実施例に対して行ったいかなる簡単な変更、変化と修飾が本発明の技術方案の範囲に属すものだとみなされる。
【図１】
0005915913.tif 000002
【図２】
0005915913.tif 000003
【図３】
0005915913.tif 000004
【図４】
0005915913.tif 000005
【図５】
0005915913.tif 000006
【図６】
0005915913.tif 000007